(57)【特許請求の範囲】
【請求項１】
内蔵バッテリを備えた可搬型医療用機器であって、
生体情報を取得する取得部と、
前記取得部で取得した生体情報を記憶しておく記憶部と、
前記記憶部に記憶されている生体情報の外部への送信を担う送信部と、
前記内蔵バッテリを充電する充電器への装着を検知する検知部と、
前記検知部による前記充電器への装着の検知を受けて、前記送信部に、前記記憶部に記憶されている生体情報の外部への送信を指示する第１指示部と、を備え、
前記第１指示部が、前記検知部による前記充電器への装着の検知を受けて、前記記憶部に記憶されている生体情報の外部への送信を行なうか否かについてのユーザへの問合せを行ない、該問合せに対するユーザからの送信の指示を受けて、該生体情報の送信を前記送信部に指示することを特徴とする可搬型医療用機器。
【請求項２】
前記検知部による前記充電器への装着の検知時に前記第１指示部に前記問合せをさせるか否かをユーザ操作により設定する第１設定部をさらに備え、
前記第１指示部は、前記第１設定部により前記問合せを行なうことが設定されている場合に、前記検知部による前記充電器への装着の検知を受けて、前記問合せを行なうことを特徴とする請求項１に記載の可搬型医療用機器。
【請求項３】
前記検知部による前記充電器への装着の検知があったときに前記記憶部に記憶されている生体情報の外部への送信を行なうか否かをユーザ操作により設定する第２設定部をさらに備え、
前記第１指示部は、
前記第１設定部により前記問合せを行なうことが設定されていて、さらに、前記第２設定部により前記生体情報の送信を行わないことが設定されている場合に、前記検知部による前記充電器への装着の検知を受けて、前記問合せを行ない、
前記第２設定部により前記生体情報の送信を行なうことが設定されている場合には、前記検知部による前記充電器への装着の検知を受けて、前記第１設定部により前記問合せを行なうことが設定されていても該問合せを行なうことなしに、該生体情報の送信を前記送信部に指示することを特徴とする請求項２に記載の可搬型医療用機器。
【請求項４】
内蔵バッテリを備えた可搬型医療用機器であって、
生体情報を取得する取得部と、
前記取得部で取得した生体情報を記憶しておく記憶部と、
前記記憶部に記憶されている生体情報の外部への送信を担う送信部と、
前記内蔵バッテリを充電する充電器への装着を検知する検知部と、
前記検知部による前記充電器への装着の検知を受けて、前記送信部に、前記記憶部に記憶されている生体情報の外部への送信を指示する第１指示部と、
前記検知部による前記充電器への装着の検知があったときに前記記憶部に記憶されている生体情報の外部への送信を行なうか否かをユーザ操作により設定する設定部と、を備え、
前記第１指示部は、前記設定部により生体情報の送信を行なうことが設定されている場合に、前記検知部による前記充電器への装着の検知を受けて、該生体情報の送信を前記送信部に指示することを特徴とする可搬型医療用機器。
【請求項５】
内蔵バッテリを備えた可搬型医療用機器であって、
生体情報を取得する取得部と、
前記取得部で取得した生体情報を記憶しておく記憶部と、
前記記憶部に記憶されている生体情報の外部への送信を担う送信部と、
前記内蔵バッテリを充電する充電器への装着を検知する検知部と、
前記検知部による前記充電器への装着の検知を受けて、前記送信部に、前記記憶部に記憶されている生体情報の外部への送信を指示する第１指示部と、
ユーザ操作に応じて、前記生体情報の送信を前記送信部に指示する第２指示部と、を備えたことを特徴とする可搬型医療用機器。
【請求項６】
前記送信部が、前記記憶部に記憶されている生体情報を、予め定められた受信先に向けて、無線で送信するものであることを特徴とする請求項１から５のいずれか１項に記載の可搬型医療用機器。
【請求項７】
生体情報を取得する取得部と、
前記取得部で取得した生体情報を記憶しておく記憶部と、
前記記憶部に記憶されている生体情報の外部への送信を担う送信部と、
内蔵バッテリを充電する充電器への装着を検知する検知部と、を備える可搬型医療機器の制御方法であって、
制御部が、前記検知部による前記充電器への装着の検知を受けて、前記送信部に、前記記憶部に記憶されている生体情報の外部への送信を指示する指示工程を有し、
前記指示工程が、
前記制御部が、前記検知部による前記充電器への装着の検知を受けて、前記記憶部に記憶されている生体情報の外部への送信を行なうか否かについてのユーザへの問合せを行なう工程と、
前記制御部が、該問合せに対するユーザからの送信の指示を受けて、該生体情報の送信を前記送信部に指示する工程と、
を有することを特徴とする可搬型医療用機器の制御方法。
【請求項８】
生体情報を取得する取得部と、
前記取得部で取得した生体情報を記憶しておく記憶部と、
前記記憶部に記憶されている生体情報の外部への送信を担う送信部と、
内蔵バッテリを充電する充電器への装着を検知する検知部と、を備える可搬型医療機器の制御方法であって、
制御部が、前記検知部による前記充電器への装着の検知があったときに前記記憶部に記憶されている生体情報の外部への送信を行なうか否かをユーザ操作により設定する設定工程と、
前記制御部が、前記設定工程により生体情報の送信を行なうことが設定されている場合に、前記検知部による前記充電器への装着の検知を受けて、前記送信部に、前記記憶部に記憶されている生体情報の外部への送信を指示する指示工程と、を有することを特徴とする可搬型医療用機器の制御方法。
【請求項９】
生体情報を取得する取得部と、
前記取得部で取得した生体情報を記憶しておく記憶部と、
前記記憶部に記憶されている生体情報の外部への送信を担う送信部と、
内蔵バッテリを充電する充電器への装着を検知する検知部と、を備える可搬型医療機器の制御方法であって、
制御部が、前記検知部による前記充電器への装着の検知を受けて、前記送信部に、前記記憶部に記憶されている生体情報の外部への送信を指示する第１指示工程と、
前記制御部が、ユーザ操作に応じて、前記生体情報の送信を前記送信部に指示する第２指示工程と、を有することを特徴とする可搬型医療用機器の制御方法。
【発明の詳細な説明】
【技術分野】
【０００１】
本発明は、例えば可搬型の心電計など、可搬型の医療用機器、およびその制御方法に関する。
【背景技術】
【０００２】
例えば心電計に関し、近年では、バッテリを内蔵し、ポケットに入る程度にまで小型化された可搬型の心電計が登場してきている。このような小型の心電計は、往診や訪問看護、その他の場面において、その心電計を外に持ち出して健診や検診に有効に利用されている。
【０００３】
その心電計で収集された心電波形等の生体情報は、一時的には内蔵メモリに蓄積される。ただし、内蔵メモリの記憶容量には限りがあるため、何らかの通信手段により、内蔵メモリ内の生体情報を、外部の、例えば情報蓄積装置等に吐き出す必要がある。
【０００４】
ここで、特許文献１には、得られた生体情報を赤外線を使って送信するホルタ心電計が開示されている。
【０００５】
また、特許文献２には、心電波形を測定して無線で送信する生体センサが開示されている。
【先行技術文献】
【特許文献】
【０００６】
【特許文献１】特開平９−２２４９１７号公報
【特許文献２】再表２０１０／０２３９６２号公報
【発明の概要】
【発明が解決しようとする課題】
【０００７】
上記の可搬型心電計において、内蔵メモリに蓄積された生体情報をユーザ操作により送信する機能を備えた場合を考える。この場合、情報送信を忘れていて、内蔵メモリがほぼ満杯になった状態のまま送信不能な環境下に持ち出すと、新たな検査を行なうことができないといった事態が生じ得る。あるいは、内蔵メモリが満杯のまま新たな検査を行ったときにその内蔵メモリ内の古い情報から消去して新たな情報を格納するシステムの場合は、内蔵メモリに蓄積しておいた情報が未送信のまま消去されてしまうおそれがある。また、データ送信を忘れていた訳ではなくても、送信中のバッテリ切れで送信されていなかったという事態も生じ得る。
【０００８】
一方、上記の可搬型心電計において、内蔵メモリに蓄積された生体情報を自動で定期的に送信する機能を備えた場合を考える。この場合、送信可能な環境下にさえあれば情報送信が自動で行われるため、検査しようとしたときに内蔵メモリが満杯で検査することができないといった事態、あるいは内蔵メモリに蓄積しておいた情報が未送信のまま消去されてしまうといった事態を避けることができる。ただし、その一方で、検査しようとしたタイミングで情報の送信が開始されて検査が待たされる事態や、バッテリ残量が十分にあると考えていたところ情報送信が行われてその情報送信によりバッテリ残量が減り、検査のための十分な電力が確保できないといった事態が生じ得る。
【０００９】
このような問題は、心電計に限られず、可搬型の医療用機器であれば共通に生じ得る問題である。
【００１０】
本発明は、上記事情に鑑み、検査の邪魔をすることなく、収集した生体情報を確実に送信することができる可搬型医療用機器および生体情報送信プログラムを提供することを目的とする。
【課題を解決するための手段】
【００１１】
上記目的を達成するための本発明の可搬型医療用機器は、
内蔵バッテリを備えた可搬型医療用機器であって、
生体情報を取得する取得部と、
取得部で取得した生体情報を記憶しておく記憶部と、
記憶部に記憶されている生体情報の外部への送信を担う送信部と、
内蔵バッテリを充電する充電器への装着を検知する検知部と、
検知部による前記充電器への装着の検知を受けて、送信部に、記憶部に記憶されている生体情報の外部への送信を指示する第１指示部と、
を備えたことを特徴とする。
【００１２】
本発明の可搬型医療用機器は、バッテリを内蔵しているため、外出から戻ってきて検査を行わないタイミングで充電がなされる。本発明の可搬型医療用機器は、このことを利用し、記憶部に記憶されている生体情報を、充電器への装着を検知して送信するものであり、検査の邪魔をすることなく、確実な送信が可能となる。
【００１３】
ここで、本発明の可搬型医療用機器において、上記送信部が、記憶部に記憶されている生体情報を予め定められた受信先に向けて、無線で送信するものであることが好ましい。
【００１４】
生体情報を無線で送信する構成とすることにより、より便利な送信が可能となる。
【００１５】
また、本発明の可搬型医療用機器において、上記第１指示部が、検知部による充電器への装着の検知を受けて、記憶部に記憶されている生体情報の外部への送信を行なうか否かについてのユーザへの問合せを行ない、その問合せに対するユーザからの送信の指示を受けて、生体情報の送信を送信部に指示する構成とすることが好ましい。
【００１６】
充電器装着時点で送信を行なうか否かを問い合わせる機能を備えることで、送信し忘れを防止するとともに、ユーザの意思で送信を実行させることができる。
【００１７】
ここで、充電器装着時点で送信を行なうか否かを問い合わせる機能を備えた場合に、さらに、
検知部による充電器への装着の検知時に第１指示部に問合せをさせるか否かをユーザ操作により設定する第１設定部を備え、
上記第１指示部は、第１設定部により問合せを行なうことが設定されている場合に、検知部による充電器への装着の検知を受けて、問合せを行なう構成とすることが好ましい。
【００１８】
問合せをさせるか否かをユーザ操作により設定する機能を備えると、問合せを煩わしいと感じるユーザにも適合した可搬型医療用機器となる。
【００１９】
また、上記第１設定部を備えた構成において、検知部による充電器への装着の検知があったときに記憶部に記憶されている生体情報の外部への送信を行なうか否かをユーザ操作により設定する第２設定部をさらに備え、
上記第１指示部が、
第１設定部により問合せを行なうことが設定されていて、さらに、第２設定部により送信を行わないことが設定されている場合に、検知部による充電器への装着の検知を受けて問合せを行ない、
第２設定部により生体情報の送信を行なうことが設定されている場合には、検知部による充電器への装着の検知を受けて、第１設定部により問合せを行なうことが設定されていても問合せを行なうことなしに、生体情報の送信を送信部に指示する構成としてもよい。
【００２０】
この構成によれば、検知部による充電器への装着の検知があったときに、生体情報の自動送信と、送信するか否かの問合せと、自動送信も問合せも行わないこととのいずれをも選択することが可能となる。
【００２１】
また、本発明の可搬型医療用機器において、問合せの機能を備えることなく、検知部による充電器への装着の検知があったときに記憶部に記憶されている生体情報の外部への送信を行なうか否かをユーザ操作により設定する第２設定部を備え、
上記第１指示部は、第２設定部により生体情報の送信を行なうことが設定されている場合に、検知部による充電器への装着の検知を受けて、生体情報の送信を送信部に指示する構成とすることも好ましい態様である。
【００２２】
この態様によれば、検知部による充電器への装着の検知があったときの自動送信の有無をユーザが予め設定しておくことができる。
【００２３】
さらに、本発明の可搬型医療用機器において、ユーザ操作に応じて、生体情報の送信を送信部に指示する第２指示部を備えることが好ましい。
【００２４】
こうすることで、例えば、充電器が近くにはなく、かつ、内蔵メモリが満杯に近い時などにも対応することができる。
【００２５】
さらに、上記目的を達成するための本発明の生体情報送信プログラムは、
内蔵バッテリと、
生体情報を取得する取得部と、
取得部で取得した生体情報を記憶しておく記憶部と、
記憶部に記憶されている生体情報の外部への送信を担う送信部と、
内蔵バッテリを充電する充電器への装着を検知する検知部と、
を備えるとともにプログラムを実行する演算機能を備えた可搬型医療用機器内で実行され、その可搬型医療用機器を、
検知部による充電器への装着の検知を受けて、送信部に、記憶部に記憶されている生体情報の外部への送信を指示する第１指示部
をさらに備えた可搬型医療用機器として動作させることを特徴とする。
【００２６】
なお、本発明の生体情報送信プログラムには、本発明の可搬型医療用機器の各種の態様に対応した各種の態様が含まれている。
【発明の効果】
【００２７】
以上の本発明の可搬型医療用機器および生体情報送信プログラムによれば、検査の邪魔をすることなく、内蔵メモリに蓄積された生体情報を確実に送信することができる。
【図面の簡単な説明】
【００２８】
【図１】本発明の可搬型医療用機器の一例としての小型の心電計を示した図である。
【図２】図１に外観を示した心電計の内部構成図である。
【図３】心電波形等の生体情報を取得する検査時における心電計の動作フローを示した図である。
【図４】充電スタンド装着時の心電計の動作フローの第１例を示した図である。
【図５】「表示１」を示した図である。
【図６】、充電スタンド装着時の心電計の動作フローの第２例を示した図である。
【図７】「表示２」を示した図である。
【図８】充電スタンド装着時の心電計の動作フローの第３例を示した図である。
【図９】表示設定画面を示した図である。
【図１０】「表示３」を示した図である。
【図１１】充電スタンド装着時の心電計の動作フローの第４例を示した図である。
【図１２】送信設定画面を示した図である。
【図１３】充電スタンド装着時の心電計の動作フローの第５例を示した図である。
【図１４】送信指示画面の一例を示した図である。
【図１５】図１４の送信指示画面上で生体情報の送信が指示されたときに実行される動作フローを示した図である。
【発明を実施するための形態】
【００２９】
以下、本発明の実施の形態について説明する。
【００３０】
図１は、本発明の可搬型医療用機器の一例としての小型の心電計を示した図である。
【００３１】
この図１に示す心電計１０は、この心電計１０の内蔵バッテリを充電するための充電スタンド２０に装着されている。心電計１０を、この充電スタンド２０に図１に示すように装着すると、心電計１０と充電スタンド２０の接点どうしが接続されて、心電計１０の内蔵バッテリが充電される。なお、ここでは充電スタンド２０が備えている電源ケーブルや電源プラグなどは、図示が省略されている。
【００３２】
この心電計１０には不図示の電極が接続され、この心電計１０では、検査時に、心電波形やその他の生体情報の収集が行われる。
【００３３】
この心電計１０は、その前面に表示画面１１や各種の操作ボタン１２が配置されている。この心電計１０には、操作ボタン１２の操作により、各種のデータや指示が入力される。また、この心電計１０の状態や測定された心電波形等の生体情報は、表示画面１１上に表示される。
【００３４】
図２は、図１に外観を示した心電計の内部構成図である。
【００３５】
この心電計１０は、制御部１００、操作／表示部１０１、生体情報取得部１０２、内蔵メモリ１０３、無線ＬＡＮ送信部１０４、バッテリ１０５、および装着検知部１０６を備えている。
【００３６】
制御部１００は、プログラムを実行する演算機能を有し、各種のプログラムを実行することで、この心電計１０の全体の制御を担っている。
【００３７】
操作／表示部１０１は、図１に示した表示画面１１および操作ボタン１２を含み、操作ボタン１２の操作を制御部１００に伝え、また、制御部１００の指示に応じて、表示画面１１上に画像を表示する役割を担っている。この操作／表示部１０１からは、心電波形等の検査を受ける被検者のＩＤ番号や氏名等も入力される。
【００３８】
また、生体情報取得部１０２は、この心電計１０に接続された電極でピックアップされた信号を基にしての、心電波形等の生体情報の取得を担っている。
【００３９】
また、内蔵メモリ１０３は、生体情報取得部１０２で取得した生体情報を一時的に蓄積しておくメモリである。生体情報取得部１０２で取得した生体情報は、操作／表示部１０１から入力したＩＤ番号や氏名等と対応付けられて内蔵メモリ１０３に格納される。
【００４０】
さらに、無線ＬＡＮ送信部１０４は、制御部１００の指示に応じて、無線ＬＡＮ用の内臓アンテナ１０４ａを使って、予め登録されている受信先に向けて、内蔵メモリ１０３に蓄積されている生体情報を無線で送信する。
【００４１】
また、この心電計１０には、バッテリ１０５が内蔵されている。このバッテリ１０５の電力はこの心電計１０の各部に供給され、この心電計１０はその供給された電力で動作する。この心電計１０が充電スタンド２０（図１参照）に装着されると、バッテリ１０５は、その充電スタンド２０から電力の供給を受けて充電される。
【００４２】
この心電計１０には、充電スタンド２０への装着を検知する装着検知部１０６が備えられている。この心電計１０が充電スタンド２０に装着されると、その装着が装着検知部１０６により検知されて、制御部１００に伝えられる。
【００４３】
図３は、心電波形等の生体情報を取得する検査時における心電計の動作フローを示した図である。
【００４４】
ここでは、先ずは、検査種別が選択される（ステップＳ１１）。ここでは、心電図検査、不整脈検査、リズム計測検査のいずれかが選択される。
【００４５】
次に、被検者情報が入力される（ステップＳ１２）。ここでは、図１に示す操作ボタン１２を操作して、被検者情報、すなわち、被検者のＩＤ番号、性別、年齢、氏名、身長、体重などが入力される。
【００４６】
次いで、検査が行われる（ステップＳ１３）。
【００４７】
検査が終了すると（ステップＳ１４）、その検査により得られた生体情報が、ステップＳ１１で選択された検査種別の情報や、ステップＳ１２で入力された被検者情報や、さらに検査日時の情報などと対応付けられて、内蔵メモリ１０３（図２参照）に格納される（ステップＳ１５）。
【００４８】
これらのステップＳ１１〜Ｓ１５は、検査数分だけ繰り返される（ステップＳ１６）。
【００４９】
図４は、充電スタンド装着時の心電計の動作フローの第１例を示した図である。この動作フローは、送信中あるいは検査中等、この心電計１０が他の処理を行っているタイミングを除き、１秒周期で繰り返し実行される。
【００５０】
ここでは先ず、この心電計１０が充電スタンド２０に装着されているか否かが判定される（ステップＳ２１）。装着されていないときは、その後は何もせずに、この処理を終了する。
【００５１】
ステップＳ２１において、この心電計１０が充電スタンド２０に装着されていることが判定されると、次に、無線ＬＡＮ接続の設定が有効になっているか否かが判定される（ステップＳ２２）。無線ＬＡＮ接続の設定が無効になっていたときは、この処理を終了する。
【００５２】
ステップＳ２２において、無線ＬＡＮ接続の設定が有効になっている旨、判定されると、次に、内蔵メモリ１０３に未送信の生体情報が存在するか否かが判定される（ステップＳ２３）。内蔵メモリ１０３に未送信の生体情報がなかったときは、この処理を終了する。
【００５３】
ステップＳ２３において、内蔵メモリ１０３に未送信の生体情報が存在することが判定されると、内蔵メモリ１０３に格納されている生体情報が、その生体情報に対応する、検査種別の情報、被検者情報、検査日時の情報などの付属情報とともに、予め登録されている受信先に向けて送信される（ステップＳ２４）。生体情報が送信されると、送信が終了した生体情報は内蔵メモリ１０３から消去される。あるいは、生体情報を送信しても、その生体情報に送信済であるという印を付けただけで消去しないでおき、内蔵メモリ１０３が満杯となってその内蔵メモリ１０３にさらに新たな生体情報が格納されるときに格納が古い生体情報から消去するシステムとしてもよい。また、送信が終了すると、「表示１」が、表示画面１１（図１参照）上に一定時間だけ表示される（ステップＳ２５）。
【００５４】
図５は、「表示１」を示した図である。
【００５５】
この「表示１」は、送信が終了したことをユーザに伝えるための表示であり、ここには、「未送信情報を送信しました。」と記載されている。
【００５６】
図４に示した第１例の動作フローによれば、検査の邪魔をすることなく、確実な送信が可能となる。
【００５７】
図６は、充電スタンド装着時の心電計の動作フローの第２例を示した図である。この第２例の動作フローも、送信中あるいは検査中等、この心電計１０が他の処理を行っているタイミングを除き、１秒周期で繰り返し実行される。後述する第３例以降の各動作フローについても、図１５に示す動作フローを除き、同様である。
【００５８】
この図６に示す第２例の動作フローには、図４に示した第１例の動作フローに対し、ステップＳ２６〜ステップＳ２８が追加されている。ここでは、第1例と同じステップについての説明は省略し、追加されているステップに関してのみ説明する。
【００５９】
ステップＳ２３において、未送信情報が存在することが判定されると、表示画面１１上に「表示２」が表示される（ステップＳ２６）。
【００６０】
図７は、「表示２」を示した図である。
【００６１】
この「表示２」は、心電計１０の内蔵メモリ１０３（図２参照）内にある未送信情報を送信するか否かをユーザに問い合わせるための表示である。
【００６２】
図１に示す操作ボタン１２を操作して、送信の指示（「１．はい」）または送信しないことの指示（「２．いいえ」）のいずれか一方を指示する（図６のステップＳ２７）。その指示が送信の指示（「１．はい」）の場合は（ステップＳ２８）、送信を実行する（ステップＳ２４）。その指示が送信しないことの指示（「２．いいえ」）の場合は、送信することなしに、この図６に示した動作フローによる処理を終了する。
【００６３】
図６に示した第２例の動作フローには、充電器装着時点で送信を行なうか否かを問い合わせる機能を備えている。したがって、この第２例の動作フローによれば、送信し忘れを防止するとともに、ユーザの意思で送信を実行させることができる。
【００６４】
図８は、充電スタンド装着時の心電計の動作フローの第３例を示した図である。
【００６５】
この図８に示す第３例の動作フローには、図６に示した第２例の動作フローに対し、ステップＳ２９とステップＳ３０が追加されている。ここでは、第２例と同じステップについての説明は省略し、追加されているステップについてのみ説明する。
【００６６】
ステップＳ２９では、「表示設定」が「有効」に設定されているか「無効」に設定されているかが判定される。
【００６７】
図９は、表示設定画面を示した図である。
【００６８】
この図９に示す表示設定画面は、心電計１０を充電スタンド２０に装着したときに表示画面１１上に「表示２」（図７参照）を表示するか否かを、予め設定しておくための画面である。操作ボタン１２を操作して表示画面１１上にこの表示設定画面を表示させ、操作ボタン１２のさらなる操作により「表示２」の表示を有効とする（「１．はい」））か無効とする（「２．いいえ」）かを設定する。この有効（「１．はい」））または無効（「２．いいえ」）の設定は、次の再設定まで保持される。
【００６９】
図８に示す第３例の動作フローのステップＳ２９では、図９を参照して説明した表示設定画面上での表示設定が有効の設定（「１．はい」））か無効の設定（「２．いいえ」）かが判定される。そして、有効（「１．はい」））が設定されていた場合には、表示画面１１上に「表示２」が表示される（ステップＳ２６）。その後の処理は、図６に示す第２例の場合と同様である。
【００７０】
一方、ステップＳ２９で無効（「２．いいえ」）が設定されていると判定されると、ステップＳ３０に進み、表示画面１１上に「表示３」が一定時間表示される。
【００７１】
図１０は、「表示３」を示した図である。
【００７２】
この「表示３」は、内蔵メモリ１０３（図２参照）内に未送信情報が存在することをユーザに伝える、注意喚起用の表示である。
【００７３】
図８にステップＳ３０において「表示３」を一定時間表示すると、未送信情報を送信することなく、この図８に示す処理を終了する。
【００７４】
この図８に示した第３例の動作フローは、問合せをさせるか否かをユーザ操作により設定する機能を備えている。このため、この第３例の動作フローによれば、問合せされることを煩わしいと感じるユーザにも適合した可搬型医療用機器となる。
【００７５】
図１１は、充電スタンド装着時の心電計の動作フローの第４例を示した図である。
【００７６】
この図１１に示す第４例の動作フローには、図８に示した第３例の動作フローに対し、さらにステップＳ３１が追加されている。この第４例における、このステップＳ３１以外の各ステップは、図８に示した第３例の各ステップと同一であり、ここでは、追加されているステップＳ３１についてのみ説明する。
【００７７】
ステップＳ３１では、「送信設定」が有効に設定されているか無効に設定されているかが判定される。
【００７８】
図１２は、送信設定画面を示した図である。
【００７９】
この図１２に示す送信設定画面は、心電計１０を充電スタンド２０に装着したときに、内蔵メモリ１０３内にある未送信情報を自動送信するか否かを、予め設定しておくための画面である。操作ボタン１２を操作して表示画面１１上にこの送信設定画面を表示させ、操作ボタン１２のさらなる操作により「送信設定」を有効とする（「１．はい」））か無効とする（「２．いいえ」）かを設定する。この有効（「１．はい」）または無効（「２．いいえ」）の設定は、次の再設定まで保持される。
【００８０】
図１１に示す第４例の動作フローのステップＳ３１において、この「送信設定」が有効（「１．はい」）に設定されていることが判定されると、「表示設定」が「有効」に設定されていても「表示２」を表示することなく、未送信情報の送信が実行される（ステップＳ２４）。一方、  図１１のステップＳ３１において、この「送信設定」が無効（「２．いいえ」）に設定されていることが判定されると、ステップＳ２９に進み、今度は「表示設定」が有効か無効かが判定される。この「表示設定」については、図８に示した第３例におけるステップＳ２９および図９を参照して説明済みである。この図１１に示した第４例のこれ以降の処理は、図８に示した第３例における処理と同じであり、重複説明は省略する。
【００８１】
図１１に示した第４例の動作フローは、「表示設定」と「送信設定」との双方の機能を備えている。このため、この第４例の動作フローによれば、検知部による充電器への装着の検知があったときの処理として、生体情報の自動送信と、送信するか否かの問合せと、自動送信も問合せも行わないこととのいずれをも選択することが可能となる。
【００８２】
図１３は、充電スタンド装着時の心電計の動作フローの第５例を示した図である。
【００８３】
この図１３に示す第５例の動作フローは、図１１に示した第４例の動作フローから、ステップＳ２９、ステップＳ２６〜ステップＳ２８を省いた動作フローである。
【００８４】
すなわち、ステップＳ３１における「送信設定」が有効か無効かの判定において、無効と判定されると、直ちにステップＳ３０に進んで「表示３」（未送信情報が存在することの注意喚起の表示、図１０参照）が一定時間表示される。ステップＳ３１において有効と判定されると、図１１に示した第４例と同様、未送信情報の送信が実行される（ステップＳ２４）。
【００８５】
この第５例に示すように、未送信情報が存在するときに、その送信を有効とするか無効とするかを設定し、「表示設定」をなくした動作フローとしてもよい。この第５例の動作フローによれば、検知部による充電器への装着の検知があったときに自動送信を行なうか否かを、ユーザが予め設定しておくことができる。
【００８６】
図１４は、送信指示画面の一例を示した図である。
【００８７】
この図１４に示す送信指示画面は、充電スタンド２０への装着とは無関係に、内蔵メモリ１０３に蓄積されている生体情報の送信を指示する画面である。図１に示した表示画面１１上には、操作に応じて、この図１４に示す送信指示画面が表示される。あるいは、ユーザによる操作を待つことなく、例えば、内蔵メモリ１０３にかなり多量の生体情報が溜まっているときに、検査等が行われていないタイミングで、この送信指示画面を表示画面１１上にポップアップさせてもよい。この送信指示画面上で「１．はい」を指定すると生体情報の送信が開始される。一方、この送信指示画面上で「２．いいえ」を指定すると、このタイミングでは送信されない。
【００８８】
図１５は、図１４の送信指示画面上で生体情報の送信が指示されたときに実行される動作フローを示した図である。
【００８９】
ステップＳ５１，Ｓ５２は、図４に示した動作フローのステップＳ２２，Ｓ２３とそれぞれ同一の判定処理であり、ここでの重複説明は省略する。
【００９０】
ステップＳ５３では、内蔵メモリ１０３に格納されている生体情報が、その生体情報に対応する、検査種別の情報、被検者情報、検査日時の情報などの付属情報とともに、予め登録されている受信先に向けて送信される。生体情報が送信されると、送信が終了した生体情報は内蔵メモリ１０３から消去され、あるいは、消去はせずに内蔵メモリ１０３内の、今回送信した生体情報に、送信済であることを表わす印が付される。また、送信が終了すると、「表示１」が表示画面１１（図１参照）に一定時間だけ表示され、送信したことがユーザに伝えられる（ステップＳ２５）。
【００９１】
この図１５に示した動作フローによれば、充電器が近くにはなく、かつ、内蔵メモリが満杯に近い時などにも臨機応変に対応することができる。
【００９２】
なお、ここでは、心電計を例に挙げて説明したが、本発明は、心電計に限らず、内蔵バッテリを備えた可搬型医療用機器に広く採用することができる。
【符号の説明】
【００９３】
１０      心電計
１１      表示画面
１２      操作ボタン
２０      充電スタンド
１００    制御部
１０１    操作／表示部
１０２    生体情報取得部
１０３    内蔵メモリ
１０４    無線ＬＡＮ送信部
１０４ａ  内蔵アンテナ
１０５    バッテリ
１０６    装着検知部
【図１】
0006771902.tif 000002
【図２】
0006771902.tif 000003
【図３】
0006771902.tif 000004
【図４】
0006771902.tif 000005
【図５】
0006771902.tif 000006
【図６】
0006771902.tif 000007
【図７】
0006771902.tif 000008
【図８】
0006771902.tif 000009
【図９】
0006771902.tif 000010
【図１０】
0006771902.tif 000011
【図１１】
0006771902.tif 000012
【図１２】
0006771902.tif 000013
【図１３】
0006771902.tif 000014
【図１４】
0006771902.tif 000015
【図１５】
0006771902.tif 000016